(57)【特許請求の範囲】
【請求項１】
上位装置から１フレーム分ずつ纏めて送られてくるピクセル単位の色情報と輝度情報とに基いて１フレーム分の表示色と輝度の制御データをピクセル単位で生成するデコーダと、データ伝送経路を介して前記デコーダからの制御データを受け、各ピクセル毎の表示色と輝度を調整して逐次１フレーム分の画像を表示する表示モジュールとを備えたディスプレイ装置において、
ピクセル単位の色情報を１フレーム分記憶する色情報記憶領域と上位装置からのフレームの受信回数を単位として色情報の一致回数をピクセル単位で記憶する一致回数記憶領域を有するメモリを備え、上位装置から１フレーム分の色情報と輝度情報とが送られる度に、フレーム上の同一位置で、上位装置から送られた色情報と前記メモリの色情報記憶領域に記憶された色情報との一致不一致をピクセル単位で判定し、両者が一致する場合には、このピクセルに対応する一致回数記憶領域の一致回数を１インクリメントする一方、両者が一致しない場合には、このピクセルに対応する一致回数記憶領域の値を初期化して当該ピクセルに対応する色情報記憶領域に上位装置から送られた色情報を更新して記憶させ、前記一致回数記憶領域に記憶されている各ピクセル毎の一致回数とフレームデータの転送周期とに基いて、各ピクセル毎に色情報の一致状態が継続している時間を求め、この時間が前記予め設定された時間を越えているピクセルを、予め設定された時間を越えて色情報の一致状態が継続しているピクセルとして検出する比較検出器と、
前記データ伝送経路上で前記デコーダと前記表示モジュールとの間に配置され、前記デコーダからの制御データのうち、前記比較検出器により検出されたピクセルに対応する制御データの輝度に関わる制御データを、上位装置から送られた当該ピクセルの輝度情報に相当する輝度よりも低い輝度となるように補正して、当該ピクセルの表示色に関わる制御データ、および、他のピクセルの制御データと共に前記表示モジュールに引き渡す輝度補正器とを設けたことを特徴とするディスプレイ装置。
【請求項２】
前記輝度補正器は、前記比較検出器により検出されたピクセルの色情報の一致状態の継続時間の長さに応じ、一致状態の継続時間が長ければ長いほど当該ピクセルの輝度が低くなるように当該ピクセルに対応する制御データの輝度に関わる制御データを補正することを特徴とした請求項１記載のディスプレイ装置。
【請求項３】
前記比較検出器は、予め設定された時間を越えて色情報の一致状態が継続しているピクセルの数をフレームを画成する分割エリア毎に計数し、その数が予め設定された閾値を超えていれば、この分割エリアに属する全てのピクセルを予め設定された時間を越えて色情報の一致状態が継続しているピクセルとして検出することを特徴とした請求項１記載のディスプレイ装置。
【請求項４】
前記表示モジュールが有機発光ダイオードモジュールによって構成されている請求項１，請求項２，請求項３のうち何れか一項に記載のディスプレイ装置。
【請求項５】
上位装置から１フレーム分ずつ纏めて送られてくるピクセル単位の色情報と輝度情報とに基いて１フレーム分の表示色と輝度の制御データをピクセル単位で生成し、この制御データに基いて各ピクセル毎の表示色と輝度を調整して逐次１フレーム分の画像を表示モジュールに表示するようにしたディスプレイ装置の表示制御方法において、
ピクセル単位の色情報を１フレーム分記憶する色情報記憶領域と上位装置からのフレームの受信回数を単位として色情報の一致回数をピクセル単位で記憶する一致回数記憶領域とを有するメモリをディスプレイ装置に配備し、
上位装置から１フレーム分の色情報と輝度情報とが送られる度に、フレーム上の同一位置で、上位装置から送られた色情報と前記メモリの色情報記憶領域に記憶された色情報との一致不一致をピクセル単位で判定し、
両者が一致する場合には、このピクセルに対応する一致回数記憶領域の一致回数を１インクリメントする一方、両者が一致しない場合には、このピクセルに対応する一致回数記憶領域の値を初期化して当該ピクセルに対応する色情報記憶領域に上位装置から送られた色情報を更新して記憶させ、
前記一致回数記憶領域に記憶されている各ピクセル毎の一致回数とフレームデータの転送周期とに基いて、各ピクセル毎に色情報の一致状態が継続している時間を求め、この時間が前記予め設定された時間を越えているピクセルを、予め設定された時間を越えて色情報の一致状態が継続しているピクセルとして検出し、
前記生成された制御データのうち、予め設定された時間を越えて色情報の一致状態が継続しているピクセルに対応する制御データの輝度に関わる制御データを、当該ピクセルに対応して上位装置から送られた輝度情報に相当する輝度よりも低い輝度となるように補正してから、当該ピクセルの表示色に関わる制御データ、および、他のピクセルの制御データと共に前記表示モジュールに引き渡すようにしたことを特徴とするディスプレイ装置の表示制御方法。
【請求項６】
予め設定された時間を越えて色情報の一致状態が継続しているピクセルとして検出されたピクセルの色情報の一致状態の継続時間の長さに応じ、一致状態の継続時間が長ければ長いほど当該ピクセルの輝度が低くなるように当該ピクセルに対応する制御データの輝度に関わる制御データを補正するようにしたことを特徴とする請求項５記載のディスプレイ装置の表示制御方法。
【請求項７】
予め設定された時間を越えて色情報の一致状態が継続しているピクセルの数をフレームを画成する分割エリア毎に計数し、その数が予め設定された閾値を超えていれば、この分割エリアに属する全てのピクセルを予め設定された時間を越えて色情報の一致状態が継続しているピクセルとして検出するようにしたことを特徴とする請求項５記載のディスプレイ装置の表示制御方法。
【請求項８】
上位装置から１フレーム分ずつ纏めて送られてくるピクセル単位の色情報と輝度情報とに基いて１フレーム分の表示色と輝度の制御データをピクセル単位で生成するデコーダと、データ伝送経路を介して前記デコーダからの制御データを受け、各ピクセル毎の表示色と輝度を調整して逐次１フレーム分の画像を表示する表示モジュールと、ピクセル単位の色情報を１フレーム分記憶する色情報記憶領域と上位装置からのフレームの受信回数を単位として色情報の一致回数をピクセル単位で記憶する一致回数記憶領域を有するメモリとを備えたディスプレイ装置に実装されたマイクロプロセッサを、
上位装置から１フレーム分の色情報と輝度情報とが送られる度に、フレーム上の同一位置で、上位装置から送られた色情報と前記メモリの色情報記憶領域に記憶された色情報との一致不一致をピクセル単位で判定し、両者が一致する場合には、このピクセルに対応する一致回数記憶領域の一致回数を１インクリメントする一方、両者が一致しない場合には、このピクセルに対応する一致回数記憶領域の値を初期化して当該ピクセルに対応する色情報記憶領域に上位装置から送られた色情報を更新して記憶させ、前記一致回数記憶領域に記憶されている各ピクセル毎の一致回数とフレームデータの転送周期とに基いて、各ピクセル毎に色情報の一致状態が継続している時間を求め、この時間が前記予め設定された時間を越えているピクセルを、予め設定された時間を越えて色情報の一致状態が継続しているピクセルとして検出する比較検出手段、および、
前記デコーダからの制御データのうち、前記比較検出手段により検出されたピクセルに対応する制御データの輝度に関わる制御データを、上位装置から送られた当該ピクセルの輝度情報に相当する輝度よりも低い輝度となるように補正して、当該ピクセルの表示色に関わる制御データ、および、他のピクセルの制御データと共に前記表示モジュールに引き渡す輝度補正手段として機能させることを特徴としたディスプレイ装置用表示制御プログラム。
【発明の詳細な説明】
【技術分野】
【０００１】
本発明は、ピクセル毎の輝度調整が可能なディスプレイ装置の改良、および、其の表示制御方法と表示制御プログラムに関する。
【背景技術】
【０００２】
上位装置から１フレーム分ずつ纏めて送られてくるピクセル単位の色情報と輝度情報とに基いて１フレーム分の表示色と輝度の制御データをピクセル単位で生成するデコーダと、データ伝送経路を介してデコーダからの制御データを受け、各ピクセル毎の表示色と輝度を調整して逐次１フレーム分の画像を表示する表示モジュールとを備えたディスプレイ装置が既に公知であり、ピクセル毎の輝度調整が可能な表示モジュールとしては、一般に、有機発光ダイオードモジュールが利用されている。
【０００３】
この種のディスプレイ装置において消費電力を節約するための技術としては、ディスプレイ装置の表示面への接触やカーソル操作あるいは画面のスクロール操作，データの入力操作，ユーザの目の位置を追跡するトラッキング処理等によってユーザが関心を持っている画面上の表示領域を特定し、それ以外の領域、つまり、ユーザが関心を持っていないと推定される領域の照明エレメントを減光させるようにしたものが特許文献１として提案されている。
しかしながら、表示面への接触やカーソル操作あるいは画面のスクロール操作，データの入力操作，ユーザの目の位置を追跡するトラッキング処理等に基いて照明エレメントの輝度を調整するためには、これらの情報を上位装置からディスプレイ装置に伝達するための物理的な信号線が必要となり、既存の上位装置、つまり、専用の信号線を備えない上位装置ではディスプレイ装置を利用できないといった不都合があり、仮に、上位装置に対する専用の信号線の後付けが可能であったとしても、ディスプレイ装置の表示面への接触やカーソル操作あるいは画面のスクロール操作，データの入力操作，ユーザの目の位置を追跡するトラッキング処理等を実現するためには、上位装置が使用するオペレーションシステムやアプリケーションプログラムに様々な変更を加えなければならないといった問題が残る。
また、特許文献１にあっては、ディスプレイ装置の表示面への接触やカーソル操作あるいは画面のスクロール操作，データの入力操作，ユーザの目の位置を追跡するトラッキング処理等によってユーザが関心を持っている画面上の表示領域を特定するようにしているが、これらの操作によって必ずしもユーザが関心を持つべき表示領域が適切に特定されるとは限らない。たとえば、カーソル操作を利用して表示領域を特定する場合にあっては、表示画面上のカーソルの存在それ自体が邪魔になり、カーソルをデータ入力操作の領域から外側に移動させておくといったこともあり、このような操作を行なった場合には、本来ユーザが関心を持つべきデータ入力の表示領域ではなく、その外側の領域が関心を持つべき表示領域として判定されるといった不都合を生じる恐れがある。
【０００４】
ディスプレイ装置の表示に関連して総合的なかたちで消費電力を節約するための技術としては、上位装置のマイクロプロセッサからの信号が一定時間以上に亘って途絶えた場合にＶＲＡＭからのデータのリードを中止したり、画面上のウインドウ表示を参照して特定のウインドウの表示に関しては高い階調たとえば８ビットの階調での表示を行う一方、それ以外の表示領域では低い階調たとえば８ビットのうちの上位７ビットでの表示を行うようにすること、あるいは、ＶＲＡＭからデータをリードする周期を落としたり、フレームの書き換えに際して変化のあった画素のみを抽出して書き換えを行なうようにすることで消費電力を節約するようにしたものが特許文献２として提案されている。
しかし、このものは、ＶＲＡＭへのアクセスを制限することによって消費電力を節約するもの、つまり、画像表示のための前処理に要するメモリアクセスの消費電力を節約するものであって、ディスプレイ装置の画像表示に要する消費電力それ自体を節約するものではない。
【先行技術文献】
【特許文献】
【０００５】
【特許文献１】特開２００９−１９３０７５号公報（段落００３１，段落００３３，段落００３７）
【特許文献２】特開平９−１９８０１６号公報（段落００３１，段落００３７−００３８，段落００４４，段落００４７）
【発明の概要】
【発明が解決しようとする課題】
【０００６】
本発明の目的は、画像の表示に必須とされる色情報や輝度情報以外のデータを必要とせず、上位装置に格別な信号線やアプリケーションあるいはオペレーションシステムがなくても、ユーザが関心を持つべき表示領域の表示に悪影響を与えることなく、ディスプレイ装置単体で消費電力を節約することのできるディスプレイ装置および其の表示制御方法と表示制御プログラムを提供することにある。
【課題を解決するための手段】
【０００７】
本発明のディスプレイ装置は、上位装置から１フレーム分ずつ纏めて送られてくるピクセル単位の色情報と輝度情報とに基いて１フレーム分の表示色と輝度の制御データをピクセル単位で生成するデコーダと、データ伝送経路を介して前記デコーダからの制御データを受け、各ピクセル毎の表示色と輝度を調整して逐次１フレーム分の画像を表示する表示モジュールとを備えたディスプレイ装置において、
ピクセル単位の色情報を１フレーム分記憶する色情報記憶領域と上位装置からのフレームの受信回数を単位として色情報の一致回数をピクセル単位で記憶する一致回数記憶領域を有するメモリを備え、上位装置から１フレーム分の色情報と輝度情報とが送られる度に、フレーム上の同一位置で、上位装置から送られた色情報と前記メモリの色情報記憶領域に記憶された色情報との一致不一致をピクセル単位で判定し、両者が一致する場合には、このピクセルに対応する一致回数記憶領域の一致回数を１インクリメントする一方、両者が一致しない場合には、このピクセルに対応する一致回数記憶領域の値を初期化して当該ピクセルに対応する色情報記憶領域に上位装置から送られた色情報を更新して記憶させ、前記一致回数記憶領域に記憶されている各ピクセル毎の一致回数とフレームデータの転送周期とに基いて、各ピクセル毎に色情報の一致状態が継続している時間を求め、この時間が前記予め設定された時間を越えているピクセルを、予め設定された時間を越えて色情報の一致状態が継続しているピクセルとして検出する比較検出器と、
前記データ伝送経路上で前記デコーダと前記表示モジュールとの間に配置され、前記デコーダからの制御データのうち、前記比較検出器により検出されたピクセルに対応する制御データの輝度に関わる制御データを、上位装置から送られた当該ピクセルの輝度情報に相当する輝度よりも低い輝度となるように補正して、当該ピクセルの表示色に関わる制御データ、および、他のピクセルの制御データと共に前記表示モジュールに引き渡す輝度補正器とを設けたことを特徴とする構成を有する。
【０００８】
また、本発明の表示制御方法は、上位装置から１フレーム分ずつ纏めて送られてくるピクセル単位の色情報と輝度情報とに基いて１フレーム分の表示色と輝度の制御データをピクセル単位で生成し、この制御データに基いて各ピクセル毎の表示色と輝度を調整して逐次１フレーム分の画像を表示モジュールに表示するようにしたディスプレイ装置の表示制御方法において、
ピクセル単位の色情報を１フレーム分記憶する色情報記憶領域と上位装置からのフレームの受信回数を単位として色情報の一致回数をピクセル単位で記憶する一致回数記憶領域とを有するメモリをディスプレイ装置に配備し、
上位装置から１フレーム分の色情報と輝度情報とが送られる度に、フレーム上の同一位置で、上位装置から送られた色情報と前記メモリの色情報記憶領域に記憶された色情報との一致不一致をピクセル単位で判定し、
両者が一致する場合には、このピクセルに対応する一致回数記憶領域の一致回数を１インクリメントする一方、両者が一致しない場合には、このピクセルに対応する一致回数記憶領域の値を初期化して当該ピクセルに対応する色情報記憶領域に上位装置から送られた色情報を更新して記憶させ、
前記一致回数記憶領域に記憶されている各ピクセル毎の一致回数とフレームデータの転送周期とに基いて、各ピクセル毎に色情報の一致状態が継続している時間を求め、この時間が前記予め設定された時間を越えているピクセルを、予め設定された時間を越えて色情報の一致状態が継続しているピクセルとして検出し、
前記生成された制御データのうち、予め設定された時間を越えて色情報の一致状態が継続しているピクセルに対応する制御データの輝度に関わる制御データを、当該ピクセルに対応して上位装置から送られた輝度情報に相当する輝度よりも低い輝度となるように補正してから、当該ピクセルの表示色に関わる制御データ、および、他のピクセルの制御データと共に前記表示モジュールに引き渡すようにしたことを特徴とする構成を有する。
【０００９】
そして、本発明のディスプレイ装置用表示制御プログラムは、上位装置から１フレーム分ずつ纏めて送られてくるピクセル単位の色情報と輝度情報とに基いて１フレーム分の表示色と輝度の制御データをピクセル単位で生成するデコーダと、データ伝送経路を介して前記デコーダからの制御データを受け、各ピクセル毎の表示色と輝度を調整して逐次１フレーム分の画像を表示する表示モジュールと、ピクセル単位の色情報を１フレーム分記憶する色情報記憶領域と上位装置からのフレームの受信回数を単位として色情報の一致回数をピクセル単位で記憶する一致回数記憶領域を有するメモリとを備えたディスプレイ装置に実装されたマイクロプロセッサを、
上位装置から１フレーム分の色情報と輝度情報とが送られる度に、フレーム上の同一位置で、上位装置から送られた色情報と前記メモリの色情報記憶領域に記憶された色情報との一致不一致をピクセル単位で判定し、両者が一致する場合には、このピクセルに対応する一致回数記憶領域の一致回数を１インクリメントする一方、両者が一致しない場合には、このピクセルに対応する一致回数記憶領域の値を初期化して当該ピクセルに対応する色情報記憶領域に上位装置から送られた色情報を更新して記憶させ、前記一致回数記憶領域に記憶されている各ピクセル毎の一致回数とフレームデータの転送周期とに基いて、各ピクセル毎に色情報の一致状態が継続している時間を求め、この時間が前記予め設定された時間を越えているピクセルを、予め設定された時間を越えて色情報の一致状態が継続しているピクセルを検出する比較検出手段、および
前記デコーダからの制御データのうち、前記比較検出手段により検出されたピクセルに対応する制御データの輝度に関わる制御データを、上位装置から送られた当該ピクセルの輝度情報に相当する輝度よりも低い輝度となるように補正して、当該ピクセルの表示色に関わる制御データ、および、他のピクセルの制御データと共に前記表示モジュールに引き渡す輝度補正手段として機能させることを特徴とした構成を有する。
【発明の効果】
【００１０】
本発明のディスプレイ装置および其の表示制御方法と表示制御プログラムは、上位装置から１フレーム分ずつ纏めて送られてくるピクセル単位の色情報と１フレーム前の色情報との一致不一致をフレーム上の同一位置でピクセル単位で比較することにより予め設定された時間を越えて色情報の一致状態が継続しているピクセルを検出し、このピクセルに対応する制御データを補正して上位装置からの指令による輝度よりも低い輝度となるようにしたから、上位装置に格別な信号線やアプリケーションあるいはオペレーションシステムがなくても、色情報の一致状態が継続しているピクセル、つまり、画像に変化がなくユーザが関心を持つ必要性の低い表示領域の輝度のみを適切に制限してディスプレイ装置単体で消費電力を節約することができ、しかも、色情報の一致状態が逐次変化するピクセル、つまり、ユーザの入力操作や上位装置による応答情報の表示等によって画像が変化している表示領域、すなわち、実際にユーザが関心を持つ必要性の高い表示領域の輝度を適正に保持することができる。
【図面の簡単な説明】
【００１１】
【図１】本発明を適用した一実施形態のディスプレイ装置の構成の概略について示したブロック図である。
【図２】同実施形態のディスプレイ装置に実装されたマイクロプロセッサを比較検出器および輝度補正器として機能させるためのディスプレイ装置用表示制御プログラムの構成の概略を示したフローチャートである。
【図３】ディスプレイ装置用表示制御プログラムの構成の概略を示したフローチャートの続きである。
【図４】ディスプレイ装置の表示モジュールにウインドウを表示し、ユーザがウインドウを上下方向にスクロールさせながらウインドウ内に表示された文字情報を確認する場合の表示例について示した概念図であり、図４（ａ）ではスクロール開始時点の表示状態について、図４（ｂ）ではスクロール中の表示状態について示している。
【図５】色情報の一致状態の継続時間の長さに応じて輝度を補正する際に利用可能な補正実行フラグ設定処理の一例について示したフローチャートである。
【図６】色情報の一致状態が継続しているピクセルの数を分割エリア毎に計数して色情報の一致状態が継続しているピクセルをエリア単位で検出するようにした分割エリア別補正実行フラグ設定処理の一例について示したフローチャートである。
【発明を実施するための形態】
【００１２】
次に、本発明を実施するための形態の幾つかについて、図面を参照して具体的に説明する。
【００１３】
図１は本発明を適用した一実施形態のディスプレイ装置１の構成の概略について示したブロック図である。
【００１４】
この実施形態のディスプレイ装置１は、上位装置として機能するコンピュータ２から１フレーム分ずつ纏めて送られてくる画像を構成するピクセル単位の色情報と輝度情報とに基いて１フレーム分の表示色と輝度の制御データをピクセル単位で生成するデコーダ３、および、データ伝送経路４を介してデコーダ３からの制御データを受け、各ピクセル毎の表示色と輝度を調整して逐次１フレーム分の画像を表示する表示モジュール５を備えたディスプレイ装置であり、表示モジュール５は、有機発光ダイオードモジュールによって構成されている。
【００１５】
デコーダ３，データ伝送経路４，有機発光ダイオードモジュールによって構成される表示モジュール５の構成や機能に関しては既に公知であるので詳細な説明は省略する。
また、この実施形態では、表示モジュール５のドットは横方向にｘ列、また、縦方向にｙ行のマトリックスで存在するものとする。
【００１６】
この実施形態のディスプレイ装置１は、更に、上位装置として機能するコンピュータ２から１フレーム分ずつ纏めて送られてくるピクセル単位の色情報と１フレーム前の色情報との一致不一致をフレーム上の同一位置でピクセル単位で比較することにより予め設定された時間を越えて色情報の一致状態が継続しているピクセルを検出する比較検出器６、および、データ伝送経路４上でデコーダ３と表示モジュール５との間に配置され、デコーダ３からの制御データのうち、比較検出器６により予め設定された時間を越えて色情報の一致状態が継続しているとして検出されたピクセルに対応する制御データの輝度に関わる制御データを、コンピュータ２から送られた当該ピクセルの輝度情報に相当する輝度よりも低い輝度となるように補正して、当該ピクセルの表示色に関わる制御データ、および、他のピクセルの制御データと共に表示モジュール５に引き渡す輝度補正器７を備える。
【００１７】
そして、比較検出器６は、ピクセル単位の色情報を１フレーム分記憶する色情報記憶領域とコンピュータ２からのフレームデータの受信回数を単位として色情報の一致回数をピクセル単位で記憶する一致回数記憶領域とを有するメモリ８を備え、コンピュータ２から１フレーム分の色情報と輝度情報とが送られる度に、フレーム上の同一位置で、コンピュータ２から送られた色情報とメモリ８の色情報記憶領域に記憶された色情報との一致不一致をピクセル単位で判定し、両者が一致する場合には、このピクセルに対応する一致回数記憶領域に記憶された一致回数を１インクリメントする一方、両者が一致しない場合には、このピクセルに対応する一致回数記憶領域の一致回数の値を初期化して当該ピクセルに対応する色情報記憶領域にコンピュータ２から送られた色情報を更新して記憶させ、一致回数記憶領域に記憶されている各ピクセル毎の一致回数とコンピュータ２からのフレームデータの転送周期とに基いて、各ピクセル毎に色情報の一致状態が継続している時間を求め、この時間が予め設定された時間を越えているピクセルを検出する機能を備える。
【００１８】
この実施形態におけるメモリ８には、上述の色情報記憶領域および一致回数記憶領域のほか、ディスプレイ装置用表示制御プログラムを格納するためのプログラム記憶領域と、ディスプレイ１の表示モジュール５に表示する最新の画像情報すなわちコンピュータ２から送られた１フレーム分の色情報と輝度情報とを一時記憶するためのフレームメモリ部と、表示制御に利用する各種のフラグの値を記憶するためのフラグ記憶領域等が設けられている。
【００１９】
より具体的には、メモリ８のフレームメモリ部には、コンピュータ２から送られた最新の１フレーム分の色情報が、表示モジュール５のｙ行ｘ列のピクセルの各位置となる（ｉ，ｊ）スポットに対応してＣｉｊのかたちでピクセル単位で一時記憶される（但し、ｉは１〜ｙの整数，ｊは１〜ｘの整数）。
また、メモリ８の色情報記憶領域には、色情報の一致不一致の判定に利用するための１フレーム分の色情報が、表示モジュール５のｙ行ｘ列のピクセルの各位置（ｉ，ｊ）に対応してＣＰｉｊのかたちでピクセル単位で記憶されるようになっている。メモリ８の色情報記憶領域に記憶される色情報は一般に１フレーム前の色情報であるが、電源投入直後の初期化時点では、色情報記憶領域の色情報は全て消去された状態となる。
そして、メモリ８の一致回数記憶領域には、表示モジュール５のｙ行ｘ列のピクセルの各位置（ｉ，ｊ）における色情報の一致回数が、ｎｉｊのかたちでピクセル単位で記憶される。
更に、メモリ８のフラグ記憶領域には、表示モジュール５のｙ行ｘ列のピクセルの各位置（ｉ，ｊ）における輝度の補正を実行すべきか否かを示す補正実行フラグの値が、Ｆｉｊのかたちでピクセル単位で記憶されるようになっている。
【００２０】
図２〜図３は、ディスプレイ装置１に実装されたマイクロプロセッサ９を比較検出器６（比較検出手段）および輝度補正器７（輝度補正手段）として機能させるためにメモリ８のプログラム記憶領域に格納されたディスプレイ装置用表示制御プログラムの構成の一例を示したフローチャートである。
【００２１】
ディスプレイ装置１に電源が投入されると、マイクロプロセッサ９は、まず、ピクセル単位の色情報を１フレーム分記憶するメモリ８の色情報記憶領域に記憶されている色情報ＣＰ１１〜ＣＰｙｘのデータを未記憶の状態に初期化すると共にＣＰ１１〜ＣＰｙｘの色情報の各々に対応する一致回数ｎ１１〜ｎｙｘの値を全て０に初期化して（ステップＳ１）、上位装置として機能するコンピュータ２から１フレーム分の画像データ、つまり、各ピクセル毎の色情報と輝度情報が入力されるのを待つ待機状態に入る（ステップＳ２）。
【００２２】
そして、コンピュータ２から１フレーム分の画像データが入力されると、マイクロプロセッサ９は、コンピュータ２から送られた最新の１フレーム分の色情報をＣｉｊのかたちでピクセル単位でメモリ８のフレームメモリ部に一時記憶させ（ステップＳ３）、行検索指標ｉの値を０に初期化すると共に列検索指標ｊの値を０に初期化する（ステップＳ４，ステップＳ５）。
【００２３】
次いで、マイクロプロセッサ９は、行検索指標ｉの値を１インクリメントし（ステップＳ６）、行検索指標ｉの現在値が表示モジュール５の行方向のピクセル数ｙの値を超えているか否か、つまり、色情報の一致不一致を比較すべきピクセルを有する行がフレーム内に未だ残っているか否かを判定する（ステップＳ７）。
【００２４】
そして、行検索指標ｉの現在値が表示モジュール５の行方向のピクセル数ｙの値を超えていなければ、色情報の一致不一致を比較すべきピクセルを有する行がフレーム内に未だ残っていることを意味するので、マイクロプロセッサ９は、列検索指標ｊの値を１インクリメントし（ステップＳ８）、列検索指標ｊの現在値が表示モジュール５の列方向のピクセル数ｘの値を超えているか否か、つまり、行検索指標ｉの値で特定される１行分のピクセルのなかに色情報の一致不一致を比較すべきピクセルが未だ残っているか否かを判定する（ステップＳ９）。
【００２５】
ここで、列検索指標ｊの現在値が表示モジュール５の列方向のピクセル数ｘの値を超えていなければ、比較検出器６として機能するマイクロプロセッサ９は、行検索指標ｉの値と列検索指標ｊの現在値に基いてメモリ８のフレームメモリ部から色情報Ｃｉｊの値を読み込むと共に、同じく、行検索指標ｉの値と列検索指標ｊの現在値に基いてメモリ８の色情報記憶領域から色情報ＣＰｉｊの値を読み込んで（ステップＳ１０）、フレーム上の同一位置である（ｉ，ｊ）スポットの色情報Ｃｉｊの値と色情報ＣＰｉｊの値との一致不一致をピクセル単位で判定する（ステップＳ１１）。
【００２６】
そして、今回の転送処理でコンピュータ２から送られた色情報Ｃｉｊの値と１フレーム前の色情報ＣＰｉｊの値とが一致した場合には、フレーム上の（ｉ，ｊ）スポットの位置つまり表示モジュール５の（ｉ，ｊ）スポットのピクセル位置における表示色に変化が生じていないことを意味するので、比較検出器６として機能するマイクロプロセッサ９は、メモリ８の一致回数記憶領域にアクセスし、フレーム上の（ｉ，ｊ）スポットの位置に対応する色情報の一致回数ｎｉｊの値を１インクリメントする（ステップＳ１６）。
【００２７】
一方、今回の転送処理でコンピュータ２から送られた色情報Ｃｉｊの値と１フレーム前の色情報ＣＰｉｊの値とが一致しなかった場合には、フレーム上の（ｉ，ｊ）スポットの位置つまり表示モジュール５の（ｉ，ｊ）スポットの位置における表示色に変化が生じていることを意味するので、比較検出器６として機能するマイクロプロセッサ９は、メモリ８の色情報記憶領域にアクセスし、メモリ８の色情報記憶領域における色情報ＣＰｉｊの値を今回の転送処理でコンピュータ２から送られた色情報Ｃｉｊの値に更新して記憶させると共に（ステップＳ１２）、（ｉ，ｊ）スポットの位置に対応する色情報の一致回数ｎｉｊの値を改めて０に初期化する（ステップＳ１３）。
なお、電源投入直後に実行されるステップＳ１１の処理ではメモリ８の色情報記憶領域における色情報ＣＰｉｊの値は全て初期化された状態となっているので、必然的に、ステップＳ１１の判定結果は偽となる。
【００２８】
次いで、比較検出器６として機能するマイクロプロセッサ９は、フレーム上の（ｉ，ｊ）スポットの位置に対応する色情報の一致回数ｎｉｊの値が設定値εの値を超えているか否か、つまり、（ｉ，ｊ）スポットのピクセルの色情報の一致状態が継続している時間が予め設定された時間Δｔ・εを越えているか否かを判定する（ステップＳ１４）。
但し、コンピュータ２からのフレームデータの転送周期Δｔは一定であるから、色情報の一致状態の継続時間を求めるために敢えてΔｔ・ｎｉｊの演算処理を行なう必要はなく、単にｎｉｊとεとの大小関係を比較すれば十分である。
【００２９】
そして、フレーム上の（ｉ，ｊ）スポットの位置に対応する色情報の一致回数ｎｉｊの値が設定値εの値を超えている場合には、比較検出器６として機能するマイクロプロセッサ９は、メモリ８のフラグ記憶領域にアクセスし、メモリ８のフラグ記憶領域における補正実行フラグＦｉｊに、輝度の補正を実行すべきことを示す値１をセットし（ステップＳ１５）、また、フレーム上の（ｉ，ｊ）スポットの位置に対応する色情報の一致回数ｎｉｊの値が設定値εの値を超えていない場合には、メモリ８のフラグ記憶領域における補正実行フラグＦｉｊに、輝度の補正を実行する必要がないことを示す値０をセットする（ステップＳ１７）。
【００３０】
従って、補正実行フラグＦｉｊに値１をセットされた（ｉ，ｊ）スポットのピクセルが、予め設定された時間Δｔ・εを越えて色情報の一致状態が継続しているピクセルとして検出されることになる。
【００３１】
そして、マイクロプロセッサ９は、列検索指標ｊの値が表示モジュール５の列方向のピクセル数ｘの値を超えたことがステップＳ９の判定処理で検知されるまでの間、列検索指標ｊの値を逐次インクリメントしながら、第ｉ行の色情報Ｃｉｊと色情報ＣＰｉｊ（但し、ｊは２〜ｘの整数）の対応関係に基いて前記と同様にしてステップＳ８〜ステップＳ１７の処理を選択的に繰り返し実行する。
【００３２】
また、列検索指標ｊの値が表示モジュール５の列方向のピクセル数ｘの値を超えたことがステップＳ９の判定処理で検知される度に、マイクロプロセッサ９は、改めてステップＳ５の処理で列検索指標ｊの値を０に初期化すると共に、ステップＳ６の処理で行検索指標ｉの値をインクリメントし、行検索指標ｉの値が表示モジュール５の行方向のピクセル数ｙの値を超えたことがステップＳ７の判定処理で検知されるまでの間、次々と各行の色情報Ｃｉｊと色情報ＣＰｉｊ（但し、ｉは２〜ｙの整数，ｊは１〜ｘの整数）の対応関係に基いて前記と同様にしてステップＳ８〜ステップＳ１７の処理を選択的に繰り返し実行する。
【００３３】
そして、最終的にステップＳ７の判定結果が真となり、ｉ行ｊ列の色情報Ｃｉｊと色情報ＣＰｉｊ（但し、ｉは１〜ｙの整数，ｊは１〜ｘの整数）との対応関係の全てについて色情報の一致不一致の判定処理（ステップＳ１１参照）、および、色情報ＣＰｉｊの更新処理や一致回数ｎｉｊの初期化処理（ステップＳ１１〜ステップＳ１３参照）、あるいは、色情報の一致回数ｎｉｊのインクリメント処理（ステップＳ１６参照）が完了したことが確認されると、輝度補正器７として機能するマイクロプロセッサ９が、メモリ８のフラグ記憶領域にアクセスし、フレーム上の（ｉ，ｊ）スポットの位置に対応する補正実行フラグＦｉｊ（但し、ｉは１〜ｙの整数，ｊは１〜ｘの整数）の値を参照して、デコーダ３からの制御データのうち、比較検出器６により検出されたピクセルに対応する制御データ、つまり、補正実行フラグＦｉｊの値として１をセットされたスポットの輝度に関わる制御データを、上位装置であるコンピュータ２から送られた当該ピクセルの輝度情報に相当する輝度よりも低い輝度となるように補正し、当該ピクセルの表示色に関わる制御データ、および、他のピクセルの制御データと共に表示モジュール５に引き渡し（ステップＳ１８）、表示モジュール５が此れらの制御データに基いて画像を表示する。
【００３４】
従って、仮に、コンピュータ２から送られたフレームデータ上の（１，１）スポットの色情報がＣ１１で輝度情報がＤ１１、また、コンピュータ２から送られたフレームデータ上の（１，２）スポットの色情報がＣ１２で輝度情報がＤ１２であって、補正実行フラグＦ１１の値が１、また、補正実行フラグＦ１２の値が０であったとすれば、（１，１）スポットの輝度情報Ｄ１１に基いてデコーダ３が生成した輝度に係る制御データＤ１１’は、最終的な表示結果が輝度情報Ｄ１１に相当する輝度よりも低い輝度となるように制御データＤ１１’から制御データＤ１１”に補正され、当該ピクセルの表示色Ｃ１１に基いてデコーダ３が生成した表示色に係る制御データＣ１１’と共に表示モジュール５に引き渡される。また、（１，２）スポットの輝度情報Ｄ１２に基いてデコーダ３が生成した輝度に係る制御データＤ１２’は何らの補正も受けることなく制御データＤ１２’のまま、当該ピクセルの表示色Ｃ１２に基いてデコーダ３が生成した表示色に係る制御データＣ１２’と共に表示モジュール５に引き渡されることになる。
【００３５】
補正実行フラグＦｉｊの値として１をセットされた（ｉ，ｊ）スポットの輝度を低くするための処理は、例えば、（ｉ，ｊ）スポットの輝度情報Ｄｉｊに基いてデコーダ３が生成した輝度に係る制御データＤｉｊ’に一定の係数（例えば８０％）をオーバーライドすることによって制御データＤｉｊ”とするといった方法、あるいは、予め設定された輝度だけ輝度が低下するように制御データＤｉｊ’の値をシフト調整して制御データＤｉｊ”にするといった方法が考えられる。
【００３６】
図４はディスプレイ装置１の表示モジュール５にウインドウ１０を表示し、ユーザがウインドウ１０を上下方向にスクロールさせながらウインドウ１０内に表示された文字情報を確認する場合の表示例について示した概念図であり、図４（ａ）ではスクロール開始時点の表示状態について、また、図４（ｂ）ではウインドウ１０を上方にスクロールしている最中の表示状態について示している。
【００３７】
文字情報の一部である“ＭＮ  ＯＰＱ”や“ＲＳＴＵＶＷ”等は全体としてウインドウ１０内で左寄りに位置し、文字情報の他の一部である“ＪＫＬ”や“ＸＹＺ”は全体としてウインドウ１０内で右寄りに位置するが、これらの文字情報は相対的な位置関係を保持したままウインドウ１０内を上下方向に流れるように移動することになるので、ウインドウ１０内では何れのスポットでも其の色情報が周期的に文字表示色と背景色に変化する一方、ウインドウ１０から外れた外側のスポット位置では其の色情報は常に背景色もしくは円や矩形等の図形の描画色に維持されることになる。
【００３８】
結果的に、ウインドウ１０に含まれる各スポット（ピクセル）の位置では色情報が周期的に変動し、その都度、色情報の一致回数の値がステップＳ１１〜ステップＳ１３の処理で０に初期化されるので、これらのスポットのピクセルに対応する色情報の一致回数が設定値εの値に達することはなく、対応する補正実行フラグの値はステップＳ１４およびステップＳ１７の処理によって０の状態に保たれる。従って、ウインドウ１０内のスポットに対して輝度の補正処理が行われることはなく、ウインドウ１０内の輝度は、コンピュータ２から指令された輝度に維持される。
また、ウインドウ１０から外れた各スポットの位置では色情報が背景色もしくは円や矩形等の図形の描画色に維持されたままとなり、色情報の一致回数がステップＳ１１およびステップＳ１６の処理で逐次加算されて其の一致回数が設定値εの値を超え、これらのスポットのピクセルに対応する補正実行フラグの値がステップＳ１４〜ステップＳ１５の処理で１にセットされるので、ウインドウ１０を外れた表示領域の輝度だけが補正処理によって落とされることになる。
【００３９】
このように、カーソルの表示位置等を参照することなく、色情報に変動が生じるスポットの輝度を維持し、色情報に変動が生じないスポットの輝度を落とすようにしているので、ユーザの入力操作やコンピュータ２による応答情報の表示等によって画像が変化している表示領域、すなわち、実際にユーザが関心を持つ必要性の高い表示領域の輝度をコンピュータ２からの指令通りに保持することができ、しかも、ユーザが関心を持つ必要性の低い他の表示領域の輝度をコンピュータ２から指令される輝度よりも落として、ディスプレイ装置１の画像表示に要する消費電力それ自体を直接的に節約することができる。
輝度の低下は視認性に好ましくない影響を与える場合もあるが、そのピクセルが表示している情報の価値は相対的に低いものであるから、視認性の低下によって格別な差し障りが生じる恐れはない。
また、輝度を落とすべきピクセルの選択は、上位装置となるコンピュータ２から転送される画像表示データに含まれる色情報のみから抽出できるので、ユーザによる特別な選択操作は必要なく、コンピュータ２からディスプレイ装置１に格別の指令を与えるといった必要もない。従って、画像表示に必要とされる以外の格別の信号線を増設する必要もなく、既存のコンピュータ２によって、省電力効果に優れたディスプレイ装置１をそのまま利用することができる。
【００４０】
〔変形例１〕
更に、比較検出器６により検出されたピクセルの色情報の一致状態の継続時間の長さに応じ、一致状態の継続時間が長ければ長いほど当該ピクセルの輝度が低くなるように輝度に関わる制御データを補正する機能を輝度補正器７に持たせることもできる。
【００４１】
このような機能を実現する場合には、図３に示したステップＳ１４〜ステップＳ１５，ステップＳ１７の処理に代え、例えば、図５に示すような補正実行フラグ設定処理を適用することにより、フレーム上の（ｉ，ｊ）スポットの位置に対応する色情報の一致回数ｎｉｊの値が設定値ε３の値を超えている場合にはメモリ８のフラグ記憶領域における補正実行フラグＦｉｊに輝度の補正を実行すべきことを示す値３をセットし（ステップａ１，ステップａ７）、また、一致回数ｎｉｊの値が設定値ε２の値を超えて設定値ε３以下である場合には、メモリ８のフラグ記憶領域における補正実行フラグＦｉｊに輝度の補正を実行すべきことを示す値２をセットし（ステップａ２，ステップａ６）、更に、一致回数ｎｉｊの値が設定値ε１の値を超えて設定値ε２以下である場合には、メモリ８のフラグ記憶領域における補正実行フラグＦｉｊに輝度の補正を実行すべきことを示す値１をセットする一方（ステップａ３，ステップａ５）、それ以外の場合、つまり、一致回数ｎｉｊの値が設定値ε１の値に達していない場合には、メモリ８のフラグ記憶領域における補正実行フラグＦｉｊに輝度の補正を実行する必要がないことを示す値０をセットするようにする（ステップａ３，ステップａ４）。
【００４２】
この場合は、補正実行フラグＦｉｊに０以外の値をセットされた（ｉ，ｊ）スポットのピクセルが、予め設定された時間Δｔ・ε１を越えて色情報の一致状態が継続しているピクセルとして検出されたことになる。
【００４３】
設定値の大小関係はε１＜ε２＜ε３であり、色情報の一致状態の継続時間が長ければ長いほど補正実行フラグＦｉｊの値は大きなものとなる。
【００４４】
そして、図２に示したステップＳ１８に代わる処理で、輝度補正器７として機能するマイクロプロセッサ９がメモリ８のフラグ記憶領域にアクセスし、フレーム上の（ｉ，ｊ）スポットの位置に対応する補正実行フラグＦｉｊの値を参照し、デコーダ３からの制御データのうち、比較検出器６により検出されたピクセルに対応する制御データ、つまり、補正実行フラグＦｉｊの値として０以外の値をセットされたスポットの輝度に関わる制御データを、上位装置であるコンピュータ２から送られた当該ピクセルの輝度情報に相当する輝度よりも低い輝度となるように補正する。
【００４５】
但し、この場合は、補正実行フラグＦｉｊの値に応じ、補正実行フラグＦｉｊの値が大きければ大きいほど、つまり、比較検出器６により検出されたピクセルの色情報の一致状態の継続時間が長ければ長いほど当該ピクセルの輝度が低くなるように、制御データの輝度に関わる制御データを補正することになる。
【００４６】
例えば、補正実行フラグＦｉｊの値が１である場合には（ｉ，ｊ）スポットの輝度情報Ｄｉｊに基いてデコーダ３が生成した輝度に係る制御データＤｉｊ’に一定の係数（例えば８５％）をオーバーライドして制御データＤｉｊ’を制御データＤｉｊ”に補正し、また、補正実行フラグＦｉｊの値が２である場合には（ｉ，ｊ）スポットの輝度情報Ｄｉｊに基いてデコーダ３が生成した輝度に係る制御データＤｉｊ’に前記よりも小さな一定の係数（例えば７０％）をオーバーライドして制御データＤｉｊ’を制御データＤｉｊ”に補正し、更に、補正実行フラグＦｉｊの値が３である場合には（ｉ，ｊ）スポットの輝度情報Ｄｉｊに基いてデコーダ３が生成した輝度に係る制御データＤｉｊ’に前記よりも更に小さな一定の係数（例えば５５％）をオーバーライドして制御データＤｉｊ’を制御データＤｉｊ”に補正する。
【００４７】
輝度を落とす際の設定時間Δｔ・ε１，Δｔ・ε２，Δｔ・ε３の長短は転送周期Δｔの影響を受けるので、設定値ε１，ε２，ε３の値は、転送周期Δｔの値等を考慮して適切に決めることが望ましい。
また、表示モジュール５の構成によって表現が可能な輝度範囲に違いがあるので、輝度を落とす際の係数（オーバーライド値）は、表示モジュール５の特性や視認性の問題を考慮して適切に決めることが望ましい。
【００４８】
〔変形例２〕
更には、予め設定された時間を越えて色情報の一致状態が継続しているピクセルの数をフレームを画成する分割エリア毎に計数し、その数が予め設定された閾値を超えていれば、この分割エリアに属する全てのピクセルを予め設定された時間を越えて色情報の一致状態が継続しているピクセルとして検出する機能を比較検出器６に持たせることも可能である。
【００４９】
このような機能を実現する場合には、図２に示したステップＳ１８の処理に代えて図６に示すような分割エリア別補正実行フラグ設定処理を適用する。
【００５０】
ここでは、一例として、ｙ行ｘ列のピクセルを有する表示モジュール５の表示領域をｍ行ｋ列の矩形領域からなるエリアで分割した場合、つまり、表示モジュール５の表示領域を縦方向に等間隔でｙ／ｍ分割すると共に横方向に等間隔でｘ／ｋ分割した場合を例にとって説明する。
但し、ｍ＜ｙ，ｋ＜ｘであって、ｙ／ｍの値とｘ／ｋの値は共に整数値になるものとする。
【００５１】
分割エリア別補正実行フラグ設定処理を開始したマイクロプロセッサ９は、まず、縦方向検索指標ｉ’の値を０に初期化すると共に（ステップｂ１）、横方向検索指標ｊ’の値を０に初期化する（ステップｂ２）。
【００５２】
次いで、マイクロプロセッサ９は、縦方向検索指標ｉ’の値を１インクリメントし（ステップｂ３）、縦方向検索指標ｉ’の現在値が表示モジュール５における縦方向の分割数ｙ／ｍを超えているか否か、つまり、予め設定された時間Δｔ・εを越えて色情報の一致状態が継続しているピクセルの数を計数すべき分割エリアを有する分割行（横並びの分割エリアの集まり）がフレーム内に未だ残っているか否かを判定する（ステップｂ４）。
【００５３】
そして、縦方向検索指標ｉ’の現在値が表示モジュール５における縦方向の分割数ｙ／ｍを超えていなければ、予め設定された時間Δｔ・εを越えて色情報の一致状態が継続しているピクセルの数を計数すべき分割エリアを有する分割行がフレーム内に未だ残っていることを意味するので、マイクロプロセッサ９は、横方向検索指標ｊ’の値を１インクリメントし（ステップｂ５）、横方向検索指標ｊ’の現在値が表示モジュール５における横方向の分割数ｘ／ｋを超えているか否か、つまり、縦方向検索指標ｉ’の値で特定される１行分の分割行のなかに予め設定された時間Δｔ・εを越えて色情報の一致状態が継続しているピクセルの数を計数すべき分割エリアが未だ残っているか否かを判定する（ステップｂ６）。
【００５４】
ここで、横方向検索指標ｊ’の現在値が表示モジュール５における横方向の分割数ｘ／ｋを超えていなければ、比較検出器６として機能するマイクロプロセッサ９は、メモリ８のフラグ記憶領域にアクセスし、縦方向検索指標ｉ’の値と横方向検索指標ｊ’の現在値で特定される１つの分割エリア（ｉ’，ｊ’）に含まれるピクセルに対応したｍ・ｋ個の補正実行フラグの値を全てサーチし、予め設定された時間Δｔ・εを越えて色情報の一致状態が継続していることを示す値１がセットされた補正実行フラグの総数を計数してレジスタｎ’に一時記憶する（ステップｂ７）。
【００５５】
次いで、比較検出器６として機能するマイクロプロセッサ９は、予め設定された時間Δｔ・εを越えて色情報の一致状態が継続しているとして分割エリア（ｉ’，ｊ’）から検出されたピクセルの総数ｎ’が予め設定された閾値ｖを超えているか否かを判定する（ステップｂ８）。
【００５６】
そして、予め設定された時間Δｔ・εを越えて色情報の一致状態が継続しているとして分割エリア（ｉ’，ｊ’）から検出されたピクセルの総数ｎ’が予め設定された閾値ｖを超えていれば、比較検出器６として機能するマイクロプロセッサ９は、メモリ８のフラグ記憶領域にアクセスし、当該分割エリア（ｉ’，ｊ’）に対応するエリア補正実行フラグＦ’ｉ’ｊ’に、この分割エリアに含まれる全てのピクセルを色情報の一致状態が継続しているピクセルとして取り扱うことを宣言する値１をセットし（ステップｂ９）、また、それ以外の場合には、分割エリア（ｉ’，ｊ’）に対応するエリア補正実行フラグＦ’ｉ’ｊ’に値０をセットする（ステップｂ１０）。
【００５７】
従って、個々のピクセルに対応してステップＳ１５やステップＳ１７の処理でセットされた補正実行フラグの値とは無関係に、値１をセットされたエリア補正実行フラグＦ’ｉ’ｊ’に対応する分割エリア（ｉ’，ｊ’）に含まれる全てのピクセルが、予め設定された時間を越えて色情報の一致状態が継続しているピクセルとして検出されることになる。
なお、最初に示した実施形態に照らして言えば、この状況は、分割エリア（ｉ’，ｊ’）に含まれる各々のピクセルに対応する補正実行フラグの全てに輝度の補正を実行すべきことを示す値１がセットされたのと同じ状況である。
【００５８】
そして、マイクロプロセッサ９は、横方向検索指標ｊ’の値が表示モジュール５の横方向の分割数ｘ／ｋの値を超えたことがステップｂ６の判定処理で検知されるまでの間、横方向検索指標ｊ’の値を逐次インクリメントしながら、予め設定された時間Δｔ・εを越えて色情報の一致状態が継続しているピクセルの総数ｎ’を分割エリア（ｉ’，ｊ’）から抽出し、その値に基いてエリア補正実行フラグＦ’ｉ’ｊ’（但し、ｊ’は２〜ｘ／ｋの整数）に１または０の値をセットするステップｂ５〜ステップｂ１０の処理を前記と同様にして選択的に繰り返し実行する。
【００５９】
また、横方向検索指標ｊ’の値が表示モジュール５の横方向の分割数ｘ／ｋの値を超えたことがステップｂ６の判定処理で検知される度に、マイクロプロセッサ９は、改めてステップｂ２の処理で横方向検索指標ｊ’の値を０に初期化すると共に、ステップｂ３の処理で縦方向検索指標ｉ’の値をインクリメントし、縦方向検索指標ｉ’の値が表示モジュール５の縦方向の分割数ｙ／ｍの値を超えたことがステップｂ４の判定処理で検知されるまでの間、各分割エリア（ｉ’，ｊ’）に対応するエリア補正実行フラグＦ’ｉ’ｊ’（但し、ｉ’は２〜ｙ／ｍの整数，ｊ’は１〜ｘ／ｋの整数）に対して前記と同様にしてステップｂ５〜ステップｂ１０の処理を選択的に繰り返し実行する。
【００６０】
そして、最終的にステップｂ４の判定結果が真となり、（ｙ／ｍ）・（ｘ／ｋ）個の分割エリアの各々に対応するエリア補正実行フラグＦ’ｉ’ｊ’（但し、ｉ’は１〜ｙ／ｍの整数，ｊ’は１〜ｘ／ｋの整数）の全てに対して１または０の数値がセットされたことが確認されると、輝度補正器７として機能するマイクロプロセッサ９が、メモリ８のフラグ記憶領域にアクセスし、各分割エリアに対応するエリア補正実行フラグＦ’ｉ’ｊ’（但し、ｉ’は１〜ｙ／ｍの整数，ｊ’は１〜ｘ／ｋの整数）の値を参照して、デコーダ３からの制御データのうち、比較検出器６により検出されたピクセルに対応する制御データ、つまり、エリア補正実行フラグＦ’ｉ’ｊ’の値として１をセットされた分割エリアに含まれる各々のピクセルの輝度に関わる制御データを、上位装置であるコンピュータ２から送られた各ピクセルの輝度情報に相当する輝度よりも低い輝度となるように補正し、当該ピクセルの表示色に関わる制御データ、および、他のピクセルの制御データと共に表示モジュール５に引き渡し（ステップｂ１１）、表示モジュール５が此れらの制御データに基いて画像を表示する。
【００６１】
従って、例えば、閾値ｖの値としてｍ・ｋ−１をセットした場合にあっては、分割エリア（ｉ’，ｊ’）に含まれるｍ・ｋ個の全てのピクセルが予め設定された時間Δｔ・εを越えて色情報の一致状態を継続した場合（ｎ’＝ｍ・ｋ，ｖ＝ｍ・ｋ−１でｎ’＞ｖとなる場合）に限って、この分割エリア（ｉ’，ｊ’）に含まれるｍ行ｋ列の全てのピクセルの輝度が落とされ、
また、閾値ｖの値としてｍ・ｋ−２をセットした場合にあっては、分割エリア（ｉ’，ｊ’）に含まれるｍ・ｋ個の全てのピクセルが予め設定された時間Δｔ・εを越えて色情報の一致状態を継続した場合（ｎ’＝ｍ・ｋ，ｖ＝ｍ・ｋ−２でｎ’＞ｖとなる場合）と、分割エリア（ｉ’，ｊ’）に含まれるｍ・ｋ個のピクセルのうち予め設定された時間Δｔ・εを越えて色情報の一致状態を継続しなかったピクセルが１つだけある場合（ｎ’＝ｍ・ｋ−１，ｖ＝ｍ・ｋ−２でｎ’＞ｖとなる場合）に、この分割エリア（ｉ’，ｊ’）に含まれるｍ行ｋ列の全てのピクセルの輝度が落とされ、
更に、閾値ｖの値としてｍ・ｋ−３をセットした場合にあっては、分割エリア（ｉ’，ｊ’）に含まれるｍ・ｋ個の全てのピクセルが予め設定された時間Δｔ・εを越えて色情報の一致状態を継続した場合（ｎ’＝ｍ・ｋ，ｖ＝ｍ・ｋ−３でｎ’＞ｖとなる場合）と、分割エリア（ｉ’，ｊ’）に含まれるｍ・ｋ個のピクセルのうち予め設定された時間Δｔ・εを越えて色情報の一致状態を継続しなかったピクセルが１つだけある場合（ｎ’＝ｍ・ｋ−１，ｖ＝ｍ・ｋ−３でｎ’＞ｖとなる場合）と、分割エリア（ｉ’，ｊ’）に含まれるｍ・ｋ個のピクセルのうち予め設定された時間Δｔ・εを越えて色情報の一致状態を継続しなかったピクセルが２つだけある場合（ｎ’＝ｍ・ｋ−２，ｖ＝ｍ・ｋ−３でｎ’＞ｖとなる場合）に、この分割エリア（ｉ’，ｊ’）に含まれるｍ行ｋ列の全てのピクセルの輝度が落とされることになる。
【００６２】
このように、閾値ｖの値はｍ・ｋ−１〜０の範囲の整数として任意に設定することが可能であるので、分割エリアの輝度を落とす際の条件をユーザの要求に応じて任意に設定できるといったメリットがある。
【００６３】
また、ｍ・ｋ個のピクセルを含む分割エリアの単位で纏めてコンピュータ２で指令された輝度を保持したり落としたりする構成であるので、有機発光ダイオードモジュール等とは異なってピクセル単位での輝度調整ができない種類の表示モジュール、例えば、液晶表示板と液晶表示板の分割エリアを照らす複数のＬＥＤバックライトとの組み合わせからなる表示モジュールに対しても、この発明の技術思想を転用することができる。
この場合は分割エリアを特定するｍ行ｋ列のピクセル数はＬＥＤバックライトの大きさや縦横比に基いて決めることになる。
【００６４】
以上に開示した実施形態の一部または全部は、以下の付記に示す記載によって適切に表現され得るが、発明を実施するための形態や発明の技術思想は、これらのものに制限されるものではない。
【００６５】
〔付記１〕
上位装置（２）から１フレーム分ずつ纏めて送られてくるピクセル単位の色情報と輝度情報とに基いて１フレーム分の表示色と輝度の制御データをピクセル単位で生成するデコーダ（３）と、データ伝送経路（４）を介して前記デコーダ（３）からの制御データを受け、各ピクセル毎の表示色と輝度を調整して逐次１フレーム分の画像を表示する表示モジュール（５）とを備えたディスプレイ装置において、
上位装置（２）から１フレーム分ずつ纏めて送られてくるピクセル単位の色情報と１フレーム前の色情報との一致不一致をフレーム上の同一位置でピクセル単位ですることにより予め設定された時間を越えて色情報の一致状態が継続しているピクセルを検出する比較検出器（６）と、
前記データ伝送経路（４）上で前記デコーダ（３）と前記表示モジュール（５）との間に配置され、前記デコーダ（３）からの制御データのうち、前記比較検出器（６）により検出されたピクセルに対応する制御データの輝度に関わる制御データを、上位装置（２）から送られた当該ピクセルの輝度情報に相当する輝度よりも低い輝度となるように補正して、当該ピクセルの表示色に関わる制御データ、および、他のピクセルの制御データと共に前記表示モジュール（５）に引き渡す輝度補正器（７）とを設けたことを特徴とするディスプレイ装置（１）。
【００６６】
〔付記２〕
前記比較検出器（６）は、ピクセル単位の色情報を１フレーム分記憶する色情報記憶領域と上位装置（２）からのフレームの受信回数を単位として色情報の一致回数をピクセル単位で記憶する一致回数記憶領域とを有するメモリ（８）を備え、
上位装置（２）から１フレーム分の色情報と輝度情報とが送られる度に、フレーム上の同一位置で、上位装置（２）から送られた色情報と前記メモリ（８）の色情報記憶領域に記憶された色情報との一致不一致をピクセル単位で判定し、
両者が一致する場合には、このピクセルに対応する一致回数記憶領域の一致回数を１インクリメントする一方、両者が一致しない場合には、このピクセルに対応する一致回数記憶領域の値を初期化して当該ピクセルに対応する色情報記憶領域に上位装置（２）から送られた色情報を更新して記憶させ、
前記一致回数記憶領域に記憶されている各ピクセル毎の一致回数とフレームデータの転送周期とに基いて、各ピクセル毎に色情報の一致状態が継続している時間を求め、この時間が前記予め設定された時間を越えているピクセルを、予め設定された時間を越えて色情報の一致状態が継続しているピクセルとして検出する付記１記載のディスプレイ装置（１）。
【００６７】
〔付記３〕
前記輝度補正器（７）は、前記比較検出器（６）により検出されたピクセルの色情報の一致状態の継続時間の長さに応じ、一致状態の継続時間が長ければ長いほど当該ピクセルの輝度が低くなるように当該ピクセルに対応する制御データの輝度に関わる制御データを補正することを特徴とした付記１または付記２記載のディスプレイ装置（１）。
【００６８】
〔付記４〕
前記比較検出器（６）は、予め設定された時間を越えて色情報の一致状態が継続しているピクセルの数をフレームを画成する分割エリア毎に計数し、その数が予め設定された閾値を超えていれば、この分割エリアに属する全てのピクセルを予め設定された時間を越えて色情報の一致状態が継続しているピクセルとして検出することを特徴とした付記１または付記２記載のディスプレイ装置（１）。
【００６９】
〔付記５〕
前記表示モジュール（５）が有機発光ダイオードモジュールによって構成されている付記１，付記２，付記３，付記４のうち何れか一項に記載のディスプレイ装置（１）。
【００７０】
〔付記６〕
上位装置（２）から１フレーム分ずつ纏めて送られてくるピクセル単位の色情報と輝度情報とに基いて１フレーム分の表示色と輝度の制御データをピクセル単位で生成し、この制御データに基いて各ピクセル毎の表示色と輝度を調整して逐次１フレーム分の画像を表示モジュール（５）に表示するようにしたディスプレイ装置（１）の表示制御方法において、
上位装置（２）から１フレーム分ずつ纏めて送られてくるピクセル単位の色情報と１フレーム前の色情報との一致不一致をフレーム上の同一位置でピクセル単位で比較することにより予め設定された時間を越えて色情報の一致状態が継続しているピクセルを検出し、
前記生成された制御データのうち、予め設定された時間を越えて色情報の一致状態が継続しているピクセルに対応する制御データの輝度に関わる制御データを、当該ピクセルに対応して上位装置（２）から送られた輝度情報に相当する輝度よりも低い輝度となるように補正してから、当該ピクセルの表示色に関わる制御データ、および、他のピクセルの制御データと共に前記表示モジュール（５）に引き渡すようにしたことを特徴とするディスプレイ装置（１）の表示制御方法。
【００７１】
〔付記７〕
ピクセル単位の色情報を１フレーム分記憶する色情報記憶領域と上位装置（２）からのフレームの受信回数を単位として色情報の一致回数をピクセル単位で記憶する一致回数記憶領域とを有するメモリ（８）をディスプレイ装置（１）に配備し、
上位装置（２）から１フレーム分の色情報と輝度情報とが送られる度に、フレーム上の同一位置で、上位装置（２）から送られた色情報と前記メモリ（８）の色情報記憶領域に記憶された色情報との一致不一致をピクセル単位で判定し、
両者が一致する場合には、このピクセルに対応する一致回数記憶領域の一致回数を１インクリメントする一方、両者が一致しない場合には、このピクセルに対応する一致回数記憶領域の値を初期化して当該ピクセルに対応する色情報記憶領域に上位装置（２）から送られた色情報を更新して記憶させ、
前記一致回数記憶領域に記憶されている各ピクセル毎の一致回数とフレームデータの転送周期とに基いて、各ピクセル毎に色情報の一致状態が継続している時間を求め、この時間が前記予め設定された時間を越えているピクセルを、予め設定された時間を越えて色情報の一致状態が継続しているピクセルとして検出するようにした付記６記載のディスプレイ装置（１）の表示制御方法。
【００７２】
〔付記８〕
予め設定された時間を越えて色情報の一致状態が継続しているピクセルとして検出されたピクセルの色情報の一致状態の継続時間の長さに応じ、一致状態の継続時間が長ければ長いほど当該ピクセルの輝度が低くなるように当該ピクセルに対応する制御データの輝度に関わる制御データを補正するようにしたことを特徴とする付記６または付記７記載のディスプレイ装置（１）の表示制御方法。
【００７３】
〔付記９〕
予め設定された時間を越えて色情報の一致状態が継続しているピクセルの数をフレームを画成する分割エリア毎に計数し、その数が予め設定された閾値を超えていれば、この分割エリアに属する全てのピクセルを予め設定された時間を越えて色情報の一致状態が継続しているピクセルとして検出するようにしたことを特徴とする付記６または付記７記載のディスプレイ装置（１）の表示制御方法。
【００７４】
〔付記１０〕
上位装置（２）から１フレーム分ずつ纏めて送られてくるピクセル単位の色情報と輝度情報とに基いて１フレーム分の表示色と輝度の制御データをピクセル単位で生成するデコーダ（３）と、データ伝送経路（４）を介して前記デコーダ（３）からの制御データを受け、各ピクセル毎の表示色と輝度を調整して逐次１フレーム分の画像を表示する表示モジュール（５）とを備えたディスプレイ装置（１）に実装されたマイクロプロセッサ（９）を、
上位装置（２）から１フレーム分ずつ纏めて送られてくるピクセル単位の色情報と１フレーム前の色情報との一致不一致をフレーム上の同一位置でピクセル単位で比較することにより予め設定された時間を越えて色情報の一致状態が継続しているピクセルを検出する比較検出手段（６）、および、
前記デコーダ（３）からの制御データのうち、前記比較検出手段（６）により検出されたピクセルに対応する制御データの輝度に関わる制御データを、上位装置（２）から送られた当該ピクセルの輝度情報に相当する輝度よりも低い輝度となるように補正して、当該ピクセルの表示色に関わる制御データ、および、他のピクセルの制御データと共に前記表示モジュール（５）に引き渡す輝度補正手段（７）として機能させることを特徴としたディスプレイ装置用表示制御プログラム。
【産業上の利用可能性】
【００７５】
本発明は、有機発光ダイオードモジュールを始め、ピクセル単位での輝度調整が可能な表示モジュールを備えたディスプレイ装置に利用できる。
【符号の説明】
【００７６】
１  ディスプレイ装置
２  コンピュータ（上位装置）
３  デコーダ
４  データ伝送経路
５  表示モジュール（有機発光ダイオードモジュール）
６  比較検出器
７  輝度補正器
８  メモリ
９  マイクロプロセッサ
１０  ウインドウ
ＣＰｉｊ  １フレーム以上前の色情報
Ｃｉｊ  各ピクセルの最新の色情報
ｎｉｊ  色情報の一致回数
Ｆｉｊ  補正実行フラグ
ｉ  行検索指標
ｊ  列検索指標
ｘ  表示モジュールの列方向のピクセル数
ｙ  表示モジュールの行方向のピクセル数
ε，ε１，ε２，ε３  設定値
ｙ／ｍ  縦方向の分割数
ｘ／ｋ  横方向の分割数
ｉ’  縦方向検索指標
ｊ’  横方向検索指標
ｎ’  レジスタ
ｖ  予め設定された閾値
Ｆ’ｉ’ｊ’  エリア補正実行フラグ
【図１】
0005483477.tif 000002
【図２】
0005483477.tif 000003
【図３】
0005483477.tif 000004
【図４】
0005483477.tif 000005
【図５】
0005483477.tif 000006
【図６】
0005483477.tif 000007